(57)【要約】【課題】携帯端末による撮影を補助する携帯端末撮影機能付き手帳類を提供する。【解決手段】携帯端末撮影機能付き手帳類１、１５は、長方形状の第１〜第３板状部２、１６〜４、１８と、携帯端末１４を支持するための端末支持手段と、端末支持手段により支持された携帯端末で撮影し得る位置にカード状の撮影対象物を配置するための対象物配置手段とを備える。第１板状部２、１６及び第２板状部３、１７は手帳又はファイルを構成する。【選択図】図２
2017204736.tif 000002
【特許請求の範囲】
【請求項１】
長方形状の第１〜第３板状部であって、この順にそれぞれの長辺を介して直列状に、かつ隣接するもの同士が回転自在となるように接続された３枚の板状部を備え、
前記第１板状部及び前記第２板状部は、これらの裏面の間に紙束又はファイルを構成する部材を綴じて手帳又はファイルを構成する手帳類において、
携帯端末を支持するための端末支持手段と、
前記端末支持手段により支持された携帯端末で撮影し得る位置にカード状の撮影対象物を配置するための対象物配置手段とを備えることを特徴とする携帯端末撮影機能付き手帳類。
【請求項２】
前記端末支持手段は、
前記第３板状部の前記第２板状部と反対側の長辺に対し、該長辺に沿った軸線の回りで回転自在に長辺が接続された第４板状部と、
前記第１〜第４板状部を表面側が内側となるように相互に回転させ、前記第１板状部の前記第２板状部と反対側の長辺と、前記第４板状部の前記第３板状部と反対側の長辺とを相互に固定するための固定部材と、
前記固定部材による固定がなされた第１〜第４板状部相互の位置関係を一定に維持するための斜交い部材であって、一端が前記第２〜第４板状部のいずれかに対して、該第２〜第４板状部のいずれか２つの間に挟むことができるように接続されたものと、
前記斜交い部材の他端と、これに対応する前記第２〜第４板状部のいずれかとを固定して前記位置関係の維持を可能にする斜交い固定手段とを備え、
前記固定部材による固定がなされた第１〜第４板状部は、断面が長方形状を有しており、
前記第１〜第４板状部のいずれか１つには、その裏面に携帯端末を配置したときに該携帯端末の撮影レンズに対応する部分に撮影穴が設けられていることを特徴とする請求項１に記載の携帯端末撮影機能付き手帳状類。
【請求項３】
前記端末支持手段は、
Ｌ字状の形状を有し、該Ｌ字形状の外側の縁を形成している２辺のうちの一方が、前記第１板状部と前記第２板状部との間の表側の長辺部分に対し、該長辺に沿った軸線の回りで回転自在に接続されたＬ字状保持部と、
前記Ｌ字状保持部と前記第２板状部との間に挟むことができるように前記Ｌ字状保持部又は該第２板状部のうちの一方に一端が接続され、該Ｌ字状保持部を該第２板状部に対して垂直となるように支持するための第１板状支持部材と、
前記第１板状支持部材の他端を前記Ｌ字状保持部又は第２板状部のうちの他方に固定して前記第１板状支持部材による支持を可能にするための第１固定手段とを備え、
前記Ｌ字状保持部は、前記第１板状部と前記第２板状部との間に挟んで収納し得る形態を有し、かつ前記携帯端末を、該携帯端末の隣接する２辺の少なくとも一部を保持して支持するものであることを特徴とする請求項１に記載の携帯端末撮影機能付き手帳類。
【請求項４】
前記Ｌ字状保持部は、一端から他端にわたって前記Ｌ字形状の内側に向かって開いた断面を有しており、前記第２板状部に対して垂直となるように支持された状態において、前記携帯端末を、該携帯端末の隣接する２辺の少なくとも一部を該Ｌ字状保持部に対してその内側から挿入することにより保持させ得るように構成されていることを特徴とする請求項３に記載の携帯端末撮影機能付き手帳類。
【請求項５】
前記対象物配置手段は、
前記第２板状部と前記第３板状部との間に挟むことができるように該第２板状部又は該第３板状部のうちの一方に一端が接続され、該第３板状部を該第２板状部に対して垂直となるように支持するための第２板状支持部材と、
前記第２板状支持部材の他端を前記第２板状部又は前記第３板状部のうちの他方に固定して前記第２板状支持部材による支持を可能にするための第２固定手段と、
前記第２板状部に対して垂直となるように支持された前記第３板状部上に前記撮影対象物を配置するための対象物保持手段とを備え、
前記対象物保持手段は、前記第２板状部に対して垂直となるように支持された前記Ｌ字状保持部により保持された前記携帯端末で撮影し得る位置に該撮影対象物が配置されるように該撮影対象物を保持し得るように構成されていることを特徴とする請求項３又は４に記載の携帯端末撮影機能付き手帳類。
【請求項６】
前記第３板状部には、該第３板状部の両短辺に、斜辺以外の一辺を介して回転自在に接続され、該第３板状部の表面に重ねたときに斜辺以外の他の一辺が該第３板状部の前記第２板状部側の長辺上に位置する２つの直角三角形状の三角支持部が設けられ、
各三角支持部の前記他の一辺には、磁石板が該他の一辺に沿った軸線を介して回転自在に接続されており、
前記第２板状部の表面には、該第２板状部に対して前記第３板状部を、これらの表面が直角を成すように回転させ、かつ各三角支持部をその前記他の一辺が該第２板状部の表面上を移動するように該第３板状部に対して回転させたときに各三角支持部の前記磁石板が通る該第２板状部の表面上の軌跡に沿って該磁石板が吸着可能な物質が配置された吸着部が設けられることを特徴とする請求項１〜４のいずれか１項に記載の携帯端末撮影機能付き手帳類。
【請求項７】
各三角支持部には、該三角支持部により前記携帯端末を支持する際に、携帯端末が滑り落ちるのを防止するための係止部が設けられることを特徴とする請求項６に記載の携帯端末撮影機能付き手帳状類。
【発明の詳細な説明】
【技術分野】
【０００１】
本発明は、携帯端末を用いて名刺等の撮影対象物を撮影するのを適切に補助する機能を有する携帯端末撮影機能付き手帳類に関する。
【背景技術】
【０００２】
従来、裏面シート部材の内側表面にスマートフォン本体を保持したスマートフォン保持部を形成したシステム電子手帳が知られている（例えば、特許文献１参照）。特許文献２のシステム電子手帳では、表面シート部材及び裏面シート部材間にバインダでシステム手帳用紙を綴った構成のシステム手帳本体を有し、裏面シート部材の内側表面に、スマートフォン本体を保持するスマートフォン保持部が形成される。
【０００３】
これによれば、ユーザが、スマートフォン本体をシステム手帳本体と共に身近な所持品として所持すると共に、必要に応じてシステム手帳本体を開いてシステム手帳用紙を使用しながらスマートフォン本体を用いた情報処理操作を行うことができる。
【０００４】
また、規格化された形状の撮像対象物を撮像する際に、カメラ付き携帯電話又はデジタルカメラに取り付けて用いられるアタッチメントが知られている（例えば、特許文献２参照）。特許文献２のアタッチメントによれば、アタッチメントを取り付けた状態のカメラ付き携帯電話を把持し、アタッチメントの当接部の先端を名刺が配置された面に当接させた状態で名刺の撮像が行われる。これにより、手振れが生じにくく、ピントが合わせ易くなり、かつ撮像範囲を名刺に適したものとすることができる。
【先行技術文献】
【特許文献】
【０００５】
【特許文献１】実用新案登録第３１９５６８７号公報
【特許文献２】特開２００５−１４１１８５号公報
【発明の概要】
【発明が解決しようとする課題】
【０００６】
しかしながら、スマートフォンを手帳等とともに所持するとともに、スマートフォンにより名刺等について良好な撮影を行いたい場合には、上記特許文献１に記載のようなスマートフォン保持部を有するシステム手帳を所持していたとしても、上記特許文献２に記載のようなアタッチメントをさらに携帯する必要があるので、不便である。
【０００７】
本発明の目的は、かかる従来技術の課題に鑑み、携帯端末による名刺等の撮影を適切に補助する機能を有する携帯端末撮影機能付き手帳類を提供することにある。
【課題を解決するための手段】
【０００８】
第１発明に係る携帯端末撮影機能付き手帳類は、
長方形状の第１〜第３板状部であって、この順にそれぞれの長辺を介して直列状に、かつ隣接するもの同士が回転自在となるように接続された３枚の板状部を備え、
前記第１板状部及び前記第２板状部は、これらの裏面の間に紙束又はファイルを構成する部材を綴じて手帳又はファイルを構成する手帳類において、
携帯端末を支持するための端末支持手段と、
前記端末支持手段により支持された携帯端末で撮影し得る位置にカード状の撮影対象物を配置するための対象物配置手段とを備えることを特徴とする。
【０００９】
第１発明によれば、第１板状部及び第２板状部の裏面の間に紙束又はファイルを構成する部材を綴じることにより、手帳又はファイルとして使用することができる。また、携帯端末を支持するための端末支持手段と、支持された携帯端末で撮影し得る位置にカード状の撮影対象物を配置するための対象物配置手段とを備えるので、携帯端末による名刺等の撮影を適切に補助することができる。
【００１０】
第２発明に係る携帯端末撮影機能付き手帳類は、第１発明において、
前記端末支持手段は、
前記第３板状部の前記第２板状部と反対側の長辺に対し、該長辺に沿った軸線の回りで回転自在に長辺が接続された第４板状部と、
前記第１〜第４板状部を表面側が内側となるように相互に回転させ、前記第１板状部の前記第２板状部と反対側の長辺と、前記第４板状部の前記第３板状部と反対側の長辺とを相互に固定するための固定部材と、
前記固定部材による固定がなされた第１〜第４板状部相互の位置関係を一定に維持するための斜交い部材であって、一端が前記第２〜第４板状部のいずれかに対して、該第２〜第４板状部のいずれか２つの間に挟むことができるように接続されたものと、
前記斜交い部材の他端と、これに対応する前記第２〜第４板状部のいずれかとを固定して前記位置関係の維持を可能にする斜交い固定手段とを備え、
前記固定部材による固定がなされた第１〜第４板状部は、断面が長方形状を有しており、
前記第１〜第４板状部のいずれか１つには、その裏面に携帯端末を配置したときに該携帯端末の撮影レンズに対応する部分に撮影穴が設けられていることを特徴とする。
【００１１】
第２発明によれば、第１〜第４板状部を表面側が内側となるように相互に回転させ、第１板状部の第２板状部と反対側の長辺と、第４板状部の第３板状部と反対側の長辺とを相互に固定し、斜交い部材の他端を斜交い固定手段で固定するだけで、カード状の撮影対象物を撮影するのに適した携帯端末支持台を組み立てることができる。
【００１２】
そして、組み立てた携帯端末支持台を、撮影穴を有する第１〜第４板状部のいずれかが上面となるようにして机上等に載置し、該上面に携帯端末を載せ、その撮影レンズを撮影穴に対応させるとともに、机上等の側の第１〜第４板状部のいずれかの表面に撮影対象物を配置することにより、携帯端末を撮影に適した姿勢に維持し、携帯端末による撮影を適切に補助することができる。
【００１３】
したがって、携帯端末とともに本発明の携帯端末撮影機能付き手帳類を携帯することにより、必要時に直ちに携帯端末支持台を構成し、カード状の撮影対象物を容易に携帯端末で的確に撮影することができる。
【００１４】
第３発明に係る携帯端末撮影機能付き手帳類は、第１発明において、
前記端末支持手段は、
Ｌ字状の形状を有し、該Ｌ字形状の外側の縁を形成している２辺のうちの一方が、前記第１板状部と前記第２板状部との間の表側の長辺部分に対し、該長辺に沿った軸線の回りで回転自在に接続されたＬ字状保持部と、
前記Ｌ字状保持部と前記第２板状部との間に挟むことができるように前記Ｌ字状保持部又は該第２板状部のうちの一方に一端が接続され、該Ｌ字状保持部を該第２板状部に対して垂直となるように支持するための第１板状支持部材と、
前記第１板状支持部材の他端を前記Ｌ字状保持部又は第２板状部のうちの他方に固定して前記第１板状支持部材による支持を可能にするための第１固定手段とを備え、
前記Ｌ字状保持部は、前記第１板状部と前記第２板状部との間に挟んで収納し得る形態を有し、かつ前記携帯端末を、該携帯端末の隣接する２辺の少なくとも一部を含む部分を保持して支持するものであることを特徴とする。
【００１５】
第３発明によれば、第１板状部及び第２板状部を開いてＬ字状保持部を第２板状部に対して垂直となるように第１板状支持部材で支持し、Ｌ字状保持部により携帯端末を保持することにより、携帯端末を容易に支持することができる。
【００１６】
第４発明に係る携帯端末撮影機能付き手帳類は、第３発明において、前記Ｌ字状保持部は、一端から他端にわたって、前記Ｌ字形状の内側（直角を成している側）に向かって開いた断面を有しており、前記第２板状部に対して垂直となるように支持された状態において、前記携帯端末を、該携帯端末の隣接する２辺の少なくとも一部を該Ｌ字状保持部に対してその内側から挿入することにより保持させ得るように構成されていることを特徴とする。
【００１７】
第４発明によれば、携帯端末を、その角部を含む部分をＬ字状保持部に対してその内側から挿入するだけで、容易に携帯端末を支持することができる。
【００１８】
第５発明に係る携帯端末撮影機能付き手帳類は、第３又は第４発明において、
前記対象物配置手段は、
前記第２板状部と前記第３板状部との間に挟むことができるように該第２板状部又は該第３板状部のうちの一方に一端が接続され、該第３板状部を該第２板状部に対して垂直となるように支持するための第２板状支持部材と、
前記第２板状支持部材の他端を前記第２板状部又は前記第３板状部のうちの他方に固定して前記第２板状支持部材による支持を可能にするための第２固定手段と、
前記第２板状部に対して垂直となるように支持された前記第３板状部上に前記撮影対象物を配置するための対象物保持手段とを備え、
前記対象物保持手段は、前記第２板状部に対して垂直となるように支持された前記Ｌ字状保持部により保持された前記携帯端末で撮影し得る位置に該撮影対象物が配置されるように該撮影対象物を保持し得るように構成されていることを特徴とする。
【００１９】
第５発明によれば、第２板状支持部材により第３板状部を第２板状部に対して垂直となるように支持するとともに、対象物保持手段により、携帯端末で撮影し得る位置に撮影対象物が配置されるように撮影対象物を保持することにより、撮影対象物を適切に支持することができる。
【００２０】
第６発明に係る携帯端末撮影機能付き手帳類は、第１〜第４のいずれかの発明において、
前記第３板状部には、該第３板状部の両短辺に、斜辺以外の一辺を介して回転自在に接続され、該第３板状部の表面に重ねたときに斜辺以外の他の一辺が該第３板状部の前記第２板状部側の長辺上に位置する２つの直角三角形状の三角支持部が設けられ、
各三角支持部の前記他の一辺には、磁石板が該他の一辺に沿った軸線を介して回転自在に接続されており、
前記第２板状部の表面には、該第２板状部に対して前記第３板状部を、これらの表面が直角を成すように回転させ、かつ各三角支持部をその前記他の一辺が該第２板状部の表面上を移動するように該第３板状部に対して回転させたときに各三角支持部の前記磁石板が通る該第２板状部の表面上の軌跡に沿って該磁石板が吸着可能な物質が配置された吸着部が設けられることを特徴とする。
【００２１】
第６発明によれば、第２板状部に対して第３板状部を、これらの表面が直角を成すように回転させ、かつ各三角支持部を第３板状部に対して回転させ、各三角支持部の磁石板を第２板状部の吸着部に吸着させることにより、各三角支持部によって携帯端末を傾斜させて支持することができる。このようにして支持された携帯端末により、自分等を撮影する自撮りを容易に行うことができる。
【００２２】
第７発明に係る携帯端末撮影機能付き手帳類は、第６発明において、各三角支持部には、該三角支持部により携帯端末を支持する際に、携帯端末が滑り落ちるのを防止するための係止部が設けられることを特徴とする。これによれば、三角支持部に対して携帯端末を確実に支持させることができる。
【図面の簡単な説明】
【００２３】
【図１】本発明の一実施形態に係る携帯端末撮影機能付き手帳類の展開図である。
【図２】図１の携帯端末撮影機能付き手帳類により、携帯端末による撮影を補助するときの様子を示す図である。
【図３】図１の携帯端末撮影機能付き手帳類を自撮りに適した携帯端末支持台として使用するときの様子を示す図である。
【図４】本発明の別の実施形態に係る携帯端末撮影機能付き手帳類により、携帯端末による撮影を補助するときの様子を示す図である。
【図５】図４の携帯端末撮影機能付き手帳類における対象物保持手段を示す図である。
【発明を実施するための形態】
【００２４】
以下、図面を用いて本発明の実施形態を説明する。図１に示すように、本発明の一実施形態に係る携帯端末撮影機能付き手帳類１は、長方形状の第１〜第４板状部２〜５であって、この順にそれぞれの長辺を介して直列状に、かつ隣接するもの同士が回転自在となるように接続された４枚の板状部を備える。
【００２５】
第１板状部２及び第２板状部３は、これらの裏面の間に紙束又はファイルを構成する部材を綴じて手帳又はファイルを構成するものである。以下、第１〜第４板状部２〜５の図１に示されている側の面を「表面」といい、反対側の面を「裏面」という。
【００２６】
第３板状部４には、斜交い部材としての２つの直角三角形状の三角支持部６が設けられる。２つの三角支持部６は、第３板状部４の両短辺に、斜辺以外の二辺のうちの一辺を介して回転自在に接続される。その接続は、図１のように、各三角支持部６を第３板状部４の表面に重ねたときに斜辺以外の二辺のうちの他の一辺が第３板状部４の第２板状部３側の長辺上に位置するように行われる。各三角支持部６には、三角支持部６によりスマートフォン等の携帯端末を支持する際に、携帯端末が滑り落ちるのを防止するための係止部７が設けられる。
【００２７】
各三角支持部６の該他の一辺には、磁石板８が該他の一辺に沿った軸線を介して回転自在に接続される。第２板状部３の表面には、磁石板８が吸着可能な物質が配置された磁力吸着部９が設けられる。磁石板８及び磁力吸着部９により、本発明における斜交い固定手段が構成される。
【００２８】
この磁力吸着部９の設置は、第２板状部３に対して第３板状部４を、これらの表面が直角を成すように回転させ、かつ各三角支持部６をその前記他の一辺が第２板状部３の表面上を移動するように第３板状部４に対して回転させたときに各三角支持部６の磁石板８が通る第２板状部３の表面上の軌跡に沿って行われる。
【００２９】
第２板状部３及び第４板状部５には、第４板状部５の表面を第３板状部４の表面に重ね、さらに第４板状部５の裏面を第２板状部３の表面に重ねて閉じることができるように相互に吸着する相互吸着部１０が設けられる。相互吸着部１０としては、マジックテープ（登録商標）や、磁力を用いたもの、スナップボタン等を用いることができる。
【００３０】
また、第１板状部２及び第４板状部５には、第１〜第４板状部２〜５を表面側が内側となるように相互に回転させ、第１板状部２の第２板状部３と反対側の長辺と、第４板状部５の第３板状部４と反対側の長辺とを合わせたときに、これらの長辺を相互に固定する固定部材１１が設けられる。この固定がなされた状態において、第１〜第４板状部は、断面が長方形状を有する。
【００３１】
第４板状部５側の固定部材１１は、第４板状部５を第３板状部４の表面に重ねたときに内側に収納できるように、第４板状部５に対して回動自在に設けられる。固定部材１１としては、マジックテープや、磁力を用いたもの、スナップボタン等を用いることができる。また、第４板状部５には、その裏面にスマートフォン等の携帯端末を配置したときに携帯端末の撮影レンズに対応する部分に撮影穴１２が設けられる。
【００３２】
この構成において、携帯端末撮影機能付き手帳類１は、第１板状部２及び第２板状部３の裏面の間に紙束又はファイルを構成する部材を綴じることにより、手帳又はファイルとして使用される。この使用に際しては、第４板状部５の表面を第３板状部４の表面に重ね、さらに第４板状部５の裏面を第２板状部３の表面に重ねて相互吸着部１０で閉じた状態とされる。そして、手帳又はファイルの内容へのアクセス時には、第１板状部２及び第２板状部３の裏面側が開閉される。
【００３３】
携帯端末により名刺等のカード状の撮影対象物を撮影する場合には、手帳類としての第１板状部２及び第２板状部３を閉じた状態で、第２板状部３に対して第３板状部４を回転させて垂直に配置し、第３板状部４の各三角支持部６を開いてその磁石板８を第２板状部３の磁力吸着部９に吸着させる。ただし、各三角支持部６の開き角度は、第２板状部３に後述の撮影対象物を載置するスペースが確保されるように設定する必要がある。
【００３４】
さらに、第１板状部２及び第４板状部５を回転させて、第１板状部２の第２板状部３と反対側の長辺と、第４板状部５の第３板状部４と反対側の長辺とを合わせて、これらの長辺を固定部材１１で相互に固定する。これにより、図２に示すような名刺、カード、写真等の撮影対象物１３を撮影するのに適した携帯端末支持台を組み立てることができる。
【００３５】
組み立てた携帯端末支持台を、第２板状部３の裏面が下になるようにして机上等に載置し、第４板状部５の裏面に携帯端末１４を載せ、その撮影レンズを撮影穴１２に対応させるとともに、第２板状部３の表面上に名刺等の撮影対象物１３を配置することにより、その撮影対象物１３を携帯端末１４で容易に撮影することができる。
【００３６】
なお、第１〜第３板状部２〜４のいずれかに撮影穴１２設けて携帯端末１４を載せ、対応する第３、第４又は第１板状部４、５又は２に撮影対象物１３を配置するようにしてもよい。
【００３７】
一方、手帳類としての第１板状部２及び第２板状部３を閉じた状態で、第２板状部３に対して第３板状部４を回転させて垂直に配置し、第３板状部４の各三角支持部６を開いてその磁石板８を第２板状部３の磁力吸着部９に吸着させることにより、図３のような携帯端末１４を支持する自撮りに適した携帯端末支持台が構成される。この場合、第４板状部５は不要であるため、裏面側に折り曲げられる。
【００３８】
このとき、三角支持部６の磁力吸着部９に対する吸着位置を調整することにより、三角支持部６による支持角度を例えば４５°近辺から９０°近傍まで任意に調整することができる。
【００３９】
この携帯端末支持台を、第１板状部２の表面を下にして机上等に載置し、第３板状部４の三角支持部６の係止部７に携帯端末１４の端部を引っ掛けて携帯端末１４を三角支持部６で支持させることにより、携帯端末１４で自撮り等を行うことができる。
【００４０】
このとき、携帯端末１４を、その短辺側又は長辺側を係止部７に引っ掛けることができ、これにより、縦長又は横長のいずれの撮影画面にも設定することができる。また、三角支持部６による支持角度を選択することにより、所望の撮影角度に設定することができる。なお、自撮りに際しては、携帯端末１４が有するタイマ機能を用いることができる。
【００４１】
本実施形態によれば、携帯端末撮影機能付き手帳類１を携帯端末１４とともに携帯することにより、必要時に直ちに携帯端末支持台を構成し、携帯端末１４で名刺等を、位置ずれや手振れを生じることなく撮影することができる。このとき、携帯端末１４と名刺等との位置関係が一定であるため、携帯端末１４の焦点位置等を一定に設定することにより、常に、撮影画像中の撮影対象物１３の大きさを一定にすることができる。
【００４２】
また、携帯端末撮影機能付き手帳類１を携帯端末１４とともに携帯することにより、必要時に直ちに携帯端末支持台を構成し、携帯端末１４による自撮り等を行うことができる。
【００４３】
図４は、本発明の別の実施形態に係る携帯端末撮影機能付き手帳類を示す斜視図である。この携帯端末撮影機能付き手帳類１５は、長方形状の第１〜第３板状部１６〜１８であって、この順にそれぞれの長辺を介して直列状に、かつ隣接するもの同士が回転自在となるように接続された３枚の板状部１６〜１８を備える。第１板状部１６及び第２板状部１７は、これらの裏面の間に紙束又はファイルを構成する部材を綴じて手帳又はファイルを構成する。
【００４４】
携帯端末撮影機能付き手帳類１５は、第１〜第３板状部１６〜１８の長辺に対して携帯端末１４の長辺が平行となるように該携帯端末１４を支持するための端末支持手段と、これによって支持された携帯端末１４で撮影し得る位置にカード状の撮影対象物を配置するための対象物配置手段とを備える。
【００４５】
端末支持手段は、携帯端末１４を保持して支持するＬ字状保持部２９と、Ｌ字状保持部２９を該第２板状部１７に対して垂直となるように支持するための第１板状支持部材１９と、第１板状支持部材１９と第２板状部１７とを固定する第１固定手段２０とを備える。
【００４６】
Ｌ字状保持部２９は、Ｌ字状の形状を有し、該Ｌ字形状の外側の縁を形成している２辺のうちの一方が、第１板状部１６と第２板状部１７との間の表側の長辺部分に対し、該長辺に沿った軸線の回りで回転自在に接続される。また、Ｌ字状保持部２９は、第１板状部１６と第２板状部１７との間に挟んで収納し得る形態を有し、かつ携帯端末１４を、該携帯端末１４の隣接する２辺で構成される角部を含む部分を保持して支持できるように構成される。
【００４７】
具体的には、Ｌ字状保持部２９は、一端から他端にわたってＬ字形状の内側に向かって開いた断面を有している。これにより、Ｌ字状保持部２９は、第２板状部１７に対して垂直となるように支持された状態において、携帯端末１４を、その角部を含む部分をＬ字状保持部２９に対してその内側から挿入することにより保持させ得るように構成されている。Ｌ字状保持部２９の材料としては、例えば、可撓性を有するビニールを用いることができる。
【００４８】
第１板状支持部材１９は、Ｌ字状保持部２９と第２板状部１７との間に挟むことができるようにＬ字状保持部２９に一端が接続される。第１板状支持部材１９は、Ｌ字状保持部２９を、第２板状部１７に対して垂直となるように支持し得るように構成される。第１固定手段２０は、第１板状支持部材１９の他端と第２板状部１７との間に設けられ、これらを相互に固定して第１板状支持部材１９による支持を可能にする。
【００４９】
第１固定手段２０としては、第１板状支持部材１９の他端と、これに対応する第２板状部１７の部分とに設けられたマジックテープ対や、スナップボタン対や、マグネットシートと鉄板の対を用いることができる。
【００５０】
なお、第１板状支持部材１９の一端を第２板状部１７に接続し、第１固定手段２０を、第１板状支持部材１９の他端とＬ字状保持部２９との間に設けてもよい。
【００５１】
一方、撮影対象物１３を配置するための対象物配置手段は、第３板状部１８を第２板状部１７に対して垂直となるように支持するための第２板状支持部材２１と、第２板状支持部材２１の他端を第２板状部１７に固定するための第２固定手段２２と、第３板状部１８に、撮影対象物１３を保持させるための対象物保持手段２３とを備える。
【００５２】
第２板状支持部材２１の一端は、第２板状支持部材２１を該一端部分で折り曲げて第２板状部１７と第３板状部１８との間に挟むことができるように第３板状部１８に接続される。第２固定手段２２は、第２板状支持部材２１の他端と第２板状部１７の対応部分との間に設けられ、該他端を第２板状部１７に固定することにより、第２板状支持部材２１による第３板状部１８の支持を可能にする。
【００５３】
第２固定手段２２としては、第２板状支持部材２１の他端と、これに対応する第２板状部１７の部分とに設けられたマジックテープ対や、スナップボタン対や、マグネットシートと鉄板の対を用いることができる。
【００５４】
なお、第２板状支持部材２１の一端を第２板状部１７に接続し、第２固定手段２２を、第２板状支持部材２１の他端と第３板状部１８との間に設けてもよい。
【００５５】
対象物保持手段２３は、第２板状部１７に対して垂直となるように支持されたＬ字状保持部２９により保持された携帯端末で撮影し得る位置に撮影対象物１３が配置されるように該撮影対象物１３を保持するように構成される。
【００５６】
具体的には、対象物保持手段２３は、図５に示すように、長方形状の板状ベース２４と、その表側において、隣接する２辺にわたって設けられたＬ字状挿入部２５とで構成される。Ｌ字状挿入部２５は、その外側の２辺が板状ベース２４の対応する２辺に接合しており、その内側に、カード状の撮影対象物１３の角部とその両側の２辺の一部を挿入することができるようになっている。
【００５７】
板状ベース２４の裏側と、第３板状部１８の表面の対応する部分とに、これらを相互に着脱可能に固定するための第３固定手段２６が設けられる。第３固定手段２６としては、例えば、双方に設けられたマジックテープ対や、スナップボタン対や、マグネットシートと鉄板の対を用いることができる。
【００５８】
対象物保持手段２３は、通常は、第３固定手段２６によって第３板状部１８の表面に固定されたままの状態にしておくことができる。対象物保持手段２３は、必要に応じて、第３固定手段２６による固定を解除し、固定をやり直すことにより、固定位置が調整される。
【００５９】
第３板状部１８の第２板状部１７と反対側の長辺には、Ｌ字状保持部２９を第２板状部１７の表面側に倒し、そして第２板状部１７の表面に第３板状部１８を重ねたときに、第３板状部１８を第２板状部１７に固定するための固定片２７が、該長辺を軸として回転自在に設けられる。
【００６０】
固定片２７と、第１板状部１６の対応部分には、これらを相互に固定するための第４固定手段２８が設けられる。第４固定手段２８としては、例えば、双方に設けられたマジックテープ対や、スナップボタン対や、マグネットシートと鉄板の対を用いることができる。
【００６１】
なお、第２板状支持部材２１及び第２固定手段２２を、図１の三角支持部６、磁石板８及び磁力吸着部９で構成し、携帯端末撮影機能付き手帳類１５を自撮りに適した携帯端末支持台としても使用できるようにしてもよい。
【００６２】
この構成において、携帯端末撮影機能付き手帳類１５は、第１板状部１６及び第２板状部１７の裏面の間に紙束又はファイルを構成する部材を綴じることにより、手帳又はファイルとして使用される。
【００６３】
この手帳又はファイルとしての使用に際しては、Ｌ字状保持部２９を第２板状部１７の表面側に倒し、第３板状部１８の表面を第２板状部１７の表面に重ね、第３板状部１８の固定片２７を、第１板状部１６の対応部分に固定する。このとき、第１板状支持部材１９は、Ｌ字状保持部２９と第２板状部１７との間に挟まれた状態とされる。また、第２固定手段２２は、第２板状部１７と第３板状部１８との間に挟まれた状態とされる。
【００６４】
これにより、第２板状部１７及び第３板状部１８が閉じられて、その間にＬ字状保持部２９が挟まれて収納された状態となる。そして、手帳又はファイルの内容へのアクセス時には、第１板状部１６及び第２板状部１７の裏面側が開閉される。
【００６５】
携帯端末により名刺等のカード状の撮影対象物を撮影する場合には、第４固定手段２８による固定片２７と第１板状部１６の対応部分との固定を解除し、第２板状部１７及び第３板状部１８を開く。
【００６６】
次に、Ｌ字状保持部２９を第２板状部１７に対して垂直となるように立てるとともに、この状態が維持されるように、第１固定手段２０を用いて第１板状支持部材１９の端部と第２板状部１７の対応部分とを固定する。これにより、第２板状部１７に対して、第１板状支持部材１９により、Ｌ字状保持部２９が支持された状態となる。
【００６７】
次に、第３板状部１８が第２板状部１７に対して垂直となるように保持するとともに、この状態が維持されるように、第２固定手段２２を用いて第２板状支持部材２１の端部と第２板状部１７の対応部分とを固定する。これにより、第２板状部１７に対して、第２板状支持部材２１により、第３板状部１８が垂直に支持された状態となる。
【００６８】
次に、第３板状部１８に固定されている対象物保持手段２３のＬ字状挿入部２５に、撮影対象物１３を挿入する。図４には、このときの対象物保持手段２３及び撮影対象物１３の状態が破線及び実線により示されている。
【００６９】
次に、Ｌ字状保持部２９に携帯端末１４を挿入し、Ｌ字状保持部２９により携帯端末１４が保持された状態とする。図４では、このときのＬ字状保持部２９及び携帯端末１４の状態が示されている。
【００７０】
次に、携帯端末１４で撮影対象物１３を撮影する。このとき、撮影対象物１３が携帯端末１４の撮影領域から外れている等の場合には、第３板状部１８における対象物保持手段２３の固定を解除し、固定をやり直すことにより、撮影対象物１３の位置が調整される。
【００７１】
撮影が完了したら、携帯端末１４をＬ字状保持部２９から取り外すとともに、撮影対象物１３を対象物保持手段２３から取り外す。そして、第１固定手段２０による固定を解除し、第１板状支持部材１９をＬ字状保持部２９と第２板状部１７との間に挟むようにしてＬ字状保持部２９を第２板状部１７側に倒す。
【００７２】
さらに、第２固定手段２２による固定を解除し、Ｌ字状保持部２９及び第２板状支持部材２１を第２板状部１７と第３板状部１８との間に挟むようにして第３板状部１８を第２板状部１７上に重ね、第４固定手段２８で固定片２７を第１板状部１６の対応部分に固定する。これにより、第２板状部１７と第３板状部１８が閉じられ、これらの間にＬ字状保持部２９、第１板状支持部材１９及び第２板状支持部材２１が収納された状態となる。これにより、携帯端末撮影機能付き手帳類１５は、再び、手帳又はファイルとしての使用が可能な状態となる。
【００７３】
以上のように、本実施形態によれば、手帳又はファイルとしての機能と、携帯端末１４によるカード等の撮影対象物１３を適切に撮影するための機能とを併有する携帯端末撮影機能付き手帳類１５を実現することができる。その際、対象物保持手段２３の固定位置を第３固定手段２６の機能に基づいて変更できるので、撮影対象物１３を適切な位置に配置して撮影を行うことができる。
【００７４】
また、一度対象物保持手段２３の固定位置を適切に設定した後は、そのときの第３固定手段２６による固定位置を変更せずに維持することにより、同一の携帯端末１４により同一サイズの撮影対象物１３（例えば、名刺）を撮影する限りにおいて、常に、撮影対象物１３を適切な位置に配置して撮影することができる。
【００７５】
また、第２板状支持部材２１及び第２固定手段２２を、図１の三角支持部６、磁石板８及び磁力吸着部９で構成する場合には、図３と同様にして、携帯端末撮影機能付き手帳類１５を自撮りに適した携帯端末支持台として用いることができる。これにより、図１の実施形態の場合と同様にして、容易に自分等を撮影するために使用することができる。
【００７６】
以上、本発明の実施形態について説明したが、本発明はこれに限定されない。例えば、第４板状部５には、撮影穴１２に撮影レンズが対応するように携帯端末１４を位置決めするための部材を有してもよい。また、本発明は、携帯端末１４に限らず、携帯電話、タブレット等の他の撮影機能を有する携帯端末による撮影を補助する場合にも適用することができる。
【００７７】
また、斜交い部材としての三角支持部６を、第２板状部３、又は第４板状部５に接続したり、磁力吸着部９を、第３板状部４又は第４板状部５に設けたりしてもよい。
【００７８】
また、Ｌ字状保持部２９は、携帯端末１４の隣接する２辺の少なくとも一部を含む部分を保持して支持するものであればよい。
【符号の説明】
【００７９】
１、１５…スマートフォン撮影機能付き手帳類、２、１６…第１板状部、３、１７…第２板状部、４、１８…第３板状部、５…第４板状部、６…三角支持部、７…係止部、８…磁石板、９…磁力吸着部、１０…相互吸着部、１１…固定部材、１２…撮影穴、１３…撮影対象物、１４…携帯端末、１９…第１板状支持部材、２０…第１固定手段、２１…第２板状支持部材、２２…第２固定手段、２３…対象物保持手段、２９…Ｌ字状保持部。
【図１】
2017204736.tif 000003
【図２】
2017204736.tif 000004
【図３】
2017204736.tif 000005
【図４】
2017204736.tif 000006
【図５】
2017204736.tif 000007
【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
長方形状の第１〜第３板状部であって、この順にそれぞれの長辺を介して直列状に、かつ隣接するもの同士が回転自在となるように接続された３枚の板状部を備え、
前記第１板状部及び前記第２板状部は、これらの裏面の間に紙束又はファイルを構成する部材を綴じて手帳又はファイルを構成する手帳類において、
携帯端末を支持するための端末支持手段と、
前記端末支持手段により支持された携帯端末で撮影し得る位置にカード状の撮影対象物を配置するための対象物配置手段とを備え、
前記端末支持手段は、
前記第３板状部の前記第２板状部と反対側の長辺に対し、該長辺に沿った軸線の回りで回転自在に長辺が接続された第４板状部と、
前記第１〜第４板状部を表面側が内側となるように相互に回転させたとき、前記第１板状部の前記第２板状部と反対側の長辺と、前記第４板状部の前記第３板状部と反対側の長辺とを相互に固定するための固定部材とを備え、
前記固定部材による固定がなされた第１〜第４板状部相互の位置関係を一定に維持するための斜交い部材であって、一端が前記第３板状部に対して、該第２板状部及び該第３板状部の間に挟むことができるように接続されたものと、
前記斜交い部材の他端と該第２板状部とを固定して前記位置関係の維持を可能にする斜交い固定手段とを備え、
前記固定部材による固定がなされた第１〜第４板状部は、断面が長方形状を有しており、
前記第４板状部には、その裏面に携帯端末を配置したときに該携帯端末の撮影レンズに対応する部分に撮影穴が設けられており、
前記第３板状部には、該第３板状部の両短辺に、斜辺以外の一辺を介して回転自在に接続され、該第３板状部の表面に重ねたときに斜辺以外の他の一辺が該第３板状部の前記第２板状部側の長辺上に位置する２つの直角三角形状の三角支持部が設けられ、
各三角支持部の前記他の一辺には、磁石板が該他の一辺に沿った軸線を介して回転自在に接続されており、
前記第２板状部の表面には、該第２板状部に対して前記第３板状部を、これらの表面が直角を成すように回転させ、かつ各三角支持部をその前記他の一辺が該第２板状部の表面上を移動するように該第３板状部に対して回転させたときに各三角支持部の前記磁石板が通る該第２板状部の表面上の軌跡に沿って該磁石板が吸着可能な物質が配置された吸着部が設けられ、
前記三角支持部が前記斜交い部材を構成し、
前記磁石板及び前記吸着部材が前記斜交い固定手段を構成し、
各三角支持部には、該三角支持部により前記携帯端末を支持する際に、携帯端末が滑り落ちるのを防止するための係止部が設けられることを特徴とする携帯端末撮影機能付き手帳状類。
【手続補正２】
【補正対象書類名】明細書
【補正対象項目名】０００８
【補正方法】変更
【補正の内容】
【０００８】
第１発明に係る携帯端末撮影機能付き手帳類は、
長方形状の第１〜第３板状部であって、この順にそれぞれの長辺を介して直列状に、かつ隣接するもの同士が回転自在となるように接続された３枚の板状部を備え、
前記第１板状部及び前記第２板状部は、これらの裏面の間に紙束又はファイルを構成する部材を綴じて手帳又はファイルを構成する手帳類において、
携帯端末を支持するための端末支持手段と、
前記端末支持手段により支持された携帯端末で撮影し得る位置にカード状の撮影対象物を配置するための対象物配置手段とを備え、
前記端末支持手段は、
前記第３板状部の前記第２板状部と反対側の長辺に対し、該長辺に沿った軸線の回りで回転自在に長辺が接続された第４板状部と、
前記第１〜第４板状部を表面側が内側となるように相互に回転させたとき、前記第１板状部の前記第２板状部と反対側の長辺と、前記第４板状部の前記第３板状部と反対側の長辺とを相互に固定するための固定部材とを備え、
前記固定部材による固定がなされた第１〜第４板状部相互の位置関係を一定に維持するための斜交い部材であって、一端が前記第３板状部に対して、該第２板状部及び該第３板状部の間に挟むことができるように接続されたものと、
前記斜交い部材の他端と該第２板状部とを固定して前記位置関係の維持を可能にする斜交い固定手段とを備え、
前記固定部材による固定がなされた第１〜第４板状部は、断面が長方形状を有しており、
前記第４板状部には、その裏面に携帯端末を配置したときに該携帯端末の撮影レンズに対応する部分に撮影穴が設けられており、
前記第３板状部には、該第３板状部の両短辺に、斜辺以外の一辺を介して回転自在に接続され、該第３板状部の表面に重ねたときに斜辺以外の他の一辺が該第３板状部の前記第２板状部側の長辺上に位置する２つの直角三角形状の三角支持部が設けられ、
各三角支持部の前記他の一辺には、磁石板が該他の一辺に沿った軸線を介して回転自在に接続されており、
前記第２板状部の表面には、該第２板状部に対して前記第３板状部を、これらの表面が直角を成すように回転させ、かつ各三角支持部をその前記他の一辺が該第２板状部の表面上を移動するように該第３板状部に対して回転させたときに各三角支持部の前記磁石板が通る該第２板状部の表面上の軌跡に沿って該磁石板が吸着可能な物質が配置された吸着部が設けられ、
前記三角支持部が前記斜交い部材を構成し、
前記磁石板及び前記吸着部材が前記斜交い固定手段を構成し、
各三角支持部には、該三角支持部により前記携帯端末を支持する際に、携帯端末が滑り落ちるのを防止するための係止部が設けられることを特徴とする。
【手続補正３】
【補正対象書類名】明細書
【補正対象項目名】０００９
【補正方法】変更
【補正の内容】
【０００９】
第１発明によれば、第１板状部及び第２板状部の裏面の間に紙束又はファイルを構成する部材を綴じることにより、手帳又はファイルとして使用することができる。また、携帯端末を支持するための端末支持手段と、支持された携帯端末で撮影し得る位置にカード状の撮影対象物を配置するための対象物配置手段とを備えるので、携帯端末による名刺等の撮影を適切に補助することができる。
また、第１〜第４板状部を表面側が内側となるように相互に回転させ、第１板状部の第２板状部と反対側の長辺と、第４板状部の第３板状部と反対側の長辺とを相互に固定し、斜交い部材の他端を斜交い固定手段で固定するだけで、カード状の撮影対象物を撮影するのに適した携帯端末支持台を組み立てることができる。
そして、組み立てた携帯端末支持台を、撮影穴を有する第４板状部が上面となるようにして机上等に載置し、該上面に携帯端末を載せ、その撮影レンズを撮影穴に対応させるとともに、机上等の側の第２板状部の表面に撮影対象物を配置することにより、携帯端末を撮影に適した姿勢に維持し、携帯端末による撮影を適切に補助することができる。
したがって、携帯端末とともに本発明の携帯端末撮影機能付き手帳類を携帯することにより、必要時に直ちに携帯端末支持台を構成し、カード状の撮影対象物を容易に携帯端末で的確に撮影することができる。
また、第２板状部に対して第３板状部を、これらの表面が直角を成すように回転させ、かつ各三角支持部を第３板状部に対して回転させ、各三角支持部の磁石板を第２板状部の吸着部に吸着させることにより、各三角支持部によって携帯端末を傾斜させて支持することができる。このようにして支持された携帯端末により、自分等を撮影する自撮りを容易に行うことができる。
その際に、三角支持部により携帯端末を支持するとき、三角支持部の係止部により携帯端末が滑り落ちるのを防止できるので、三角支持部に対して携帯端末を確実に支持させることができる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】